(57)【要約】  バルコニーが、バルコニー組立体および構造柱と張出し材とから成るシステムを含む。構造柱は建物を構造上支持し、かつ張出し材を含み、張出し材は構造柱からほぼ垂直方向にバルコニー組立体の設置予定位置まで延在する。張出し材は管または梁を含み、かつ構造柱に対して遠方にある梁の一端に端板を含む。バルコニー組立体は少なくとも１つの長梁とプラットフォームと前記長梁の一端におけるロック機構とを含む。ロック機構は、張出し材の端板を収容して固定するための溝を含む。バルコニー組立体は締結具を用いて張出し材に固定される。【選択図】図１
2020527202.tif 000002
【特許請求の範囲】
【請求項１】
バルコニー組立体であって、
少なくとも１つの梁と、
前記少なくとも１つの梁の一端に取り付けられたロック機構であって、構造柱の張出し材の端板を収容するためのｃ字形本体と、前記ｃ字形本体に取り付けられた、前記端板を固定するための金属ブロックと、前記長梁を前記張出し材に固定するためのパイロット穴とを含むロック機構と、
前記少なくとも１つの梁の上部に配置されたプラットフォームと、
を備えるバルコニー組立体。
【請求項２】
前記プラットフォームがコンクリート製である、請求項１に記載のバルコニー組立体。
【請求項３】
さらに、前記ｃ字形本体がパイロット穴を含むように構成されていて、このパイロット穴が前記張出し材の前記端板におけるパイロット穴に整列するように構成されている、請求項１に記載のバルコニー組立体。
【請求項４】
さらに、前記ロック機構が、第１の凹部と第２の凹部とを有する金属ブロックを含むように構成されており、これにより、前記金属ブロックが、前記ｃ字形本体により形成された溝の中へ延在するように構成されている、請求項１に記載のバルコニー組立体。
【請求項５】
さらに、前記金属ブロックが非凹部を具備し、これらの非凹部が前記ｃ字形本体の上縁に着座するように構成されている、請求項４に記載のバルコニー組立体。
【請求項６】
前記ｃ字形本体の前記上縁の周囲領域が溶着されることで溶着シームが形成され、この溶着シームが前記金属ブロックを前記ｃ字形本体に取着させる、請求項５に記載のバルコニー組立体。
【請求項７】
前記張出し材の前記端板が前記金属ブロックの凹部内へ延在する、請求項４に記載のバルコニー組立体。
【請求項８】
前記ロック機構が前記少なくとも１つの長梁に溶着されている、請求項１に記載のバルコニー組立体。
【請求項９】
構造柱と、
前記構造柱に取り付けられた張出し材であって、該張出し材が前記構造柱からほぼ垂直方向に延在してかつ端板を含み、該端板が端板パイロット穴を含む、張出し材と、
梁と該梁の一端に取り付けられたロック機構と該梁の上部に配置されたプラットフォームとを含むバルコニー組立体であって、前記ロック機構がｃ字形本体を含み、このｃ字形本体が溝を含み、この溝が前記少なくとも１つの張出し材の前記端板と前記端板を固定する金属ブロックとロック機構パイロット穴とを保持する、バルコニー組立体と、
該バルコニー組立体を前記張出し材に固定するために、前記ロック機構パイロット穴と前記端板パイロット穴とに挿入される締結具と、
を備えるシステム。
【請求項１０】
さらに、前記梁の上部に配置されたバルコニープラットフォームを備える、請求項９に記載のシステム。
【請求項１１】
さらに、前記ロック機構が、第１の凹部と第２の凹部とを有する金属ブロックを含むように構成されており、これにより、前記金属ブロックが、前記ｃ字形本体により形成された溝の中へ延在するように構成されている、請求項９に記載のシステム。
【請求項１２】
さらに、前記金属ブロックが非凹部を備え、これらの非凹部が前記ｃ字形本体の上縁に着座するように構成されている、請求項１１に記載のシステム。
【請求項１３】
前記ｃ字形本体の前記上縁の周囲領域が溶着されて溶着シームが形成され、この溶着シームが前記金属ブロックを前記ｃ字形本体に取着させる、請求項１２に記載のシステム。
【請求項１４】
前記張出し材の前記端板が前記金属ブロックの凹部内へ延在する、請求項１１に記載のシステム。
【請求項１５】
前記ロック機構が前記少なくとも１つの長梁に溶着されている、請求項９に記載のシステム。
【請求項１６】
梁と該梁の一端に取り付けられたロック機構と該梁の上部に配置されたプラットフォームとを含むバルコニー組立体を組み立てる工程であって、前記ロック機構が、溝を含むｃ字形本体と金属ブロックとロック機構パイロット穴とを含む、工程と、
取り付けられた張出し材を含む構造柱を設置する工程であって、前記張出し材が前記構造柱からほぼ垂直方向に延在し、かつ前記構造柱に対する遠方端に端板を含み、該端板が端板パイロット穴を含む、工程と、
前記バルコニー組立体を前記張出し材上に配置する工程であって、前記ロック機構の前記溝が前記張出し材の前記端板を収容し、前記ロック機構の前記金属ブロックが前記端板を固定する、工程と、
を含む方法。
【請求項１７】
さらに、前記ロック機構パイロット穴と前記端板パイロット穴とに締結具を挿入することによって前記バルコニー組立体を前記張出し材に固定する工程を含む、請求項１６に記載の方法。
【請求項１８】
さらに、前記梁の上部にコンクリートプラットフォームを配置する工程を含む、請求項１７に記載の方法。
【請求項１９】
さらに、前記バルコニー組立体と前記構造柱との間に乾式壁を設置する工程を含む、請求項１７に記載の方法。
【請求項２０】
さらに、前記バルコニー組立体の前記ロック機構と前記張出し材の前記端板とに挿入される締結具を用いて、前記バルコニー組立体を前記構造柱に固定する工程を含む、請求項１７に記載の方法。
【発明の詳細な説明】
【技術分野】
【０００１】
（関連出願の相互参照）
本出願は非仮特許出願であり、名称「バルコニー装置」として２０１７年６月３０日に出願された米国仮出願第６２／５２７，３０１号の利益を主張すると共に、その開示全体が参照によって本明細書に組み込まれる。
【発明の概要】
【０００２】
本概要は、下記「詳細な説明」においてさらに説明される選択された諸概念を簡易化した形で紹介するために提供される。本概要は、請求される主題の重要な特徴または不可欠な特徴を特定することを意図するものではなく、また、請求される主題の範囲を限定するために使用されることを意図するものでもない。請求される主題の他の特徴、詳細、有用性および利点に関しては、様々な実施形態についての、およびさらに添付の図面に示され、かつ付随の請求項で定められた諸実施形態についての、より具体的な下記「詳細な説明」によって明らかにされる。
【０００３】
本発明は、少なくとも１つの梁と、該少なくとも１つの梁の一端に取り付けられたロック機構と、該少なくとも１つの梁の上部に配置されたプラットフォームとを含み、前記ロック機構が構造柱の張出し材の端板を収容して固定することができる、バルコニー組立体を開示する。
【発明が解決しようとする課題】
【０００４】
（詳細な説明）
住居用および商業用の建物には、バルコニー、または他の種類の高所プラットフォームを含むものがある。これらの建物の建設時、バルコニーを構造上支持する梁またはその他の構造部材が内部構造部材に取り付けられる。例えば、バルコニーを支持する梁が建物内部の支持構造体から延在することがある。前記構造部材は建物内部から延在しているので、建物の設計および建設は複雑かつ高コストなものとなる。さらに、例えば乾式壁のような資材を建物に設置するとき、作業員は前記構造部材の周囲で足場や昇降システム（例えば、可動式の高架作業プラットフォーム）を使って作業をしなければならないので、バルコニーを支持するために設置される前記構造部材が乾式壁などの設置の障害となることがある。
【課題を解決するための手段】
【０００５】
本明細書で説明されている実施形態において提示されるバルコニーは、プレハブ式で容易に設置できるものであってもよい。このバルコニーシステムは、バルコニー組立体および構造柱と張出し材とから成るシステムを含む。構造柱は建物を構造上支持しており、該構造柱からバルコニー組立体の設置予定位置までほぼ垂直方向に延在する張出し材を含んでいる。前記張出し材は管または梁を含み、かつこの管／梁の一端に端板を含む。前記バルコニー組立体は、少なくとも１つの長梁とプラットフォームと前記長梁の一端におけるロック機構とを含む。前記バルコニー組立体は設計仕様に従ったプレハブ式である。前記バルコニー組立体は、前記張出し材の配置場所に適切に配置すること（例えばその位置へ降下させること）ができる。前記ロック機構は前記張出し材の前記端板を収容し、摩擦係合によって前記バルコニー組立体を前記張出し材（したがってまた前記構造柱）に固定する。さらに、前記バルコニー組立体は、前記ロック機構と前記張出し材の前記端板とに挿入される締結具を使って固定される。前記バルコニー組立体と前記構造柱との間にスペースが設けられ、そこに、乾式壁のような資材を設置することができる。実施例によっては、前記バルコニーは片持ちバルコニーである。
【図面の簡単な説明】
【０００６】
【図１】バルコニーの一実施例を示す。
【図２】本明細書で説明されているバルコニーで使用するための長梁の一例を示す。
【図３】本明細書で説明されている例示的なバルコニーで使用するためのロック機構の例を示す複数の図である。
【図４】本明細書で説明されているバルコニーで使用するための長梁の別の一例を示す。
【図５】本明細書で説明されているバルコニーと共に使用するための張出し材の一例を示す。
【図６】例示的な張出し材に取り付けられた例示的なバルコニーの長梁を示す側面断面図である。
【図７】張出し材に取り付けられたバルコニーの一例を示す図である。
【図８】構造柱の張出し材に取り付けられたバルコニー組立体の一例を示す斜視図である。
【図９】本明細書で説明されているバルコニーの一例を示す部分斜視図である。
【図１０】本明細書で説明されている例示的なバルコニーを設置するための工程例を示す。
【図１１】部分的に示された構造体に設置された、本明細書で説明されているバルコニーの例を示す。
【図１２】部分的に示された構造体に設置された張出し材の例を示す。
【図１３】部分的に示された構造体に設置された、本明細書で説明されているバルコニーの一例を示す。
【発明を実施するための形態】
【０００７】
図１はバルコニー１００の実施例を示す。バルコニー１００はバルコニー組立体１０２（以降「バルコニー組立体１０２」）と構造柱１０４および１０６とを含む。構造柱１０４と１０６は張出し材１０８と１１０を含む。構造柱１０４と１０６はアパートや商業ビルのような建物の構造部材である。構造柱１０４と１０６は、鋼管（ＴＳ）、中空構造断面部材（ＨＳＳ）、正方形中空断面部材（ＳＨＳ）、長方形中空断面部材（ＲＨＳ）、円形中空断面部材（ＣＨＳ）などである。張出し材１０８と１１０は、バルコニー組立体１０２を前記建物に取り付けるために用いられ、構造柱１０４および１０６とのプレハブ式であってもよく、あるいは構造柱１０４と１０６に溶着してもよい。張出し材の梁はＴＳ、ＨＳＳなどを用いて構築することができる。
【０００８】
バルコニー組立体１０２は、建物の建設中に構造柱１０４と１０６に取り付けられたプレハブ式バルコニーである。バルコニー組立体１０２は長方形として示されているが、当然ながら、バルコニーは他の形状であってもよい。また、本明細書で説明されている実施形態は一バルコニーに関して検討されているが、当然のことながら、説明されている実施形態は任意の種類のプラットフォームまたは高架プラットフォームと利用することが可能である。前記バルコニー組立体は、プラットフォーム１１２と長梁１１４および１１６とロック機構（例えばロック機構１１８）とを含む。実施例によっては、プラットフォーム１１２はコンクリートプラットフォームである。この種の実施形態では、長梁１１４と１１６は前記コンクリート内へ延在する木製スタッド（図示せず）を含む。換言すれば、前記コンクリートスラブは長梁１１４と１１６上に形成され、これにより、前記木製スタッドはスラブ内へ延在し、したがって、前記コンクリートスラブを長梁１１４と１１６に固定的に締結する。長梁１１４と１１６はＴＳ、ＨＳＳなどを使って構築することができる。
【０００９】
バルコニー組立体１０２の長梁１１４と１１６は、構造柱１０４と１０６に対して近接端にロック機構（例えばロック機構１１８）を含む。これらのロック機構は、バルコニー組立体１０２を張出し材１０８と１１０に固定的に取り付けるために用いられる。例えば、ロック機構１１８は長梁１１４に溶着されているか、または該長梁の一部として事前に組み立てられている。このようなものとして、プラットフォーム１０２は部分的に（部分１２０で示されているように）ロック機構１１８の上部に配置される。ロック機構１１８はｃ字形本体１２２と金属ブロック（図示せず）とを含む。この金属ブロックはｃ字形本体１２２に溶着されるか、該ｃ字形本体の一部として形成される。前記金属ブロックは摩擦係合によってロック機構１１８（したがってまた長梁１１４）の上部を張出し材１０８に取着させる。さらに、ｃ字形本体１２２はパイロット穴１２４を含み、このパイロット穴は締結具（図示せず）、例えばボルトを収容するように構成されている。また、張出し材１０８も、前記締結具を収容するように構成されたパイロット穴（図示せず）を含む。したがって、バルコニー組立体１０２が構造柱１０４と１０６の張出し材上に配置されるとき、締結具が前記ロック機構と張出し材とのパイロット穴に挿入されて（例えばナットを用いて）固定され、これにより、バルコニー組立体１０２は構造柱１０４と１０６に固定的に締結される。
【００１０】
バルコニー組立体１０２の前記ロック機構と張出し材１０８および１１０とによって、バルコニー組立体１０２はクレーンまたは人力により適切な位置に配置することができる。例えば、クレーン（図示せず）によってバルコニー組立体１０２は張出し材１０８と１１０上へ降下される。バルコニー組立体１０２の前記ロック機構は、張出し材１０８と１１０の端板（図示せず）を収容するように配置される。張出し材１０８と１１０の前記端板が前記ロック機構のｃ字形本体（例えばｃ字形本体１２２）内に固定的に配置されると、バルコニー組立体１０２は、締結具を用いて構造柱１０４と１０６に固定的に取り付けられる。
【００１１】
バルコニー組立体１０２が構造柱１０４と１０６に取り付けられた後、乾式壁または他の建築部材あるいは建築材料（例えばレンガ、ビニール、木材、漆喰）をバルコニー組立体１０２と構造柱１０４との間（例えばスペース１２６）に設置することができる。したがって、前記張出し材は、構造柱１０４および１０６とバルコニー組立体との間のスペースを画定する梁または管を含む。
【００１２】
図２は、本明細書で説明されているバルコニーで使用するための長梁の例２０２を示す。具体的には、図２は、構造柱２０４に取り付けられたバルコニー組立体の長梁２０２を示す。長梁２０２は、ロック機構２１６を用いて構造柱２０４の張出し材２１２に取り付けられている。ロック機構２１６は長梁２０２に溶着される（または該長梁の一部として組み立てられる）。ロック機構２１６はｃ字形本体２０８と金属ブロック２１０とを含む。金属ブロック２１０はｃ字形本体２０８に溶着されている。
【００１３】
張出し材２１２は構造柱２０４に溶着される（または該構造柱の一部として組み立てられる）。張出し材２１２は管２１８と端板２１４とを含む。端板２１４は管２１８に溶着すること（または該管の一部として組み立てること）ができる。ロック機構２１６のｃ字形本体２０８は、該ｃ字形本体２０８の凹部内に端板２１４を収容するように形成されている。さらに、端板２１４は、金属ブロック２１０の凹部（図示せず）の背後において上方へ延在する。このようにして、金属ブロック２１０は摩擦係合によって金属板２１４に取着される。
【００１４】
長梁２０２は複数の木製スタッド（例えば木製スタッド２０６）を含み、これらの木製スタッドはバルコニー組立体のコンクリートスラブ（図示せず）に埋め込まれる。さらに、長梁２０２は端板２１４を含み、この端板は構造柱２０４に対して遠方端に配置されている。前記ロック機構が張出し材２１２の端板２１４面上に配置された後、締結具がｃ字形本体２０８と端板２１４とのパイロット穴に挿入され、これにより、長梁２０２が構造柱２０４に固定的に締結される。さらに、長梁２０２は金属端板２３０を含み、この金属端板は構造柱２０４に対して遠方端に配置されている。
【００１５】
図３は、本明細書で説明されている例示的なバルコニー（図示せず）で使用するためのロック機構の例３００を示す複数の図（例えば図Ａおよび図Ｂ）である。ロック機構３００はｃ字形本体３０２、金属ブロック３０４、パイロット穴３０６を含む。ロック機構３００の構成部材は例えば亜鉛めっき鋼で形成することができる。ｃ字形本体３０２は金型またはロール成形機を用いて形成することができる。ｃ字形本体は諸構造体で用いられる溝形梁の一部であってもよい。諸実施例において、金属ブロック３０４は金型を使って形成される。実装時、ロック機構３００はバルコニー組立体（図示せず）の長梁（図示せず）に取り付けられる（例えば溶着される）。
【００１６】
金属ブロック３０４はほぼ箱状に形成され、凹部３１２と３１４を含み、これらの凹部は、ｃ字形本体３０２により形成された溝内へ金属ブロック３０４が延在できるように構成されている。さらに、前記金属ブロックにおいて陥凹していない部分は、ｃ字形本体３０２の上縁３１６に着座する。金属ブロック３０４はｃ字形本体３０２に固定的に取り付けられる（例えば溶着される）。例えば、ｃ字形本体３０２の上縁３１６の周囲領域が溶着されることで溶着シームが形成され、この溶着シームが金属ブロック３０４をｃ字形本体３０２に取着させる。金属ブロック３０４の下方のシームを溶着することもできる。さらに、コンクリートスラブ（図示せず）を形成して、金属ブロック３０４の（矢印３１０によって示されている）上部に一部分を配置することが可能である。さらにまた、金属ブロック３０４は底凹部（図示せず）を含み、この部分は矢印３０８によって示された領域にある。
【００１７】
長梁と建物柱の張出し材とに結合して用いられる場合、前記ロック機構はその溝３１８が前記張出し材の端板を収容し、この端板は（例えば矢印３０８で示された領域において）前記金属ブロックの前記底凹部内へ延在する。前記張出し材の端板はパイロット穴を含み、このパイロット穴は、ロック機構３００が前記張出し材の端板に正確に位置決めされたときにロック機構３００のパイロット穴３０６に整列するように構成されている。締結具が前記ロック機構のパイロット穴３０６と前記張出し材の端板のパイロット穴とに挿入され、これにより、ロック機構３００は前記張出し材に固定的に締結される。
【００１８】
図４は、本明細書で説明されているバルコニーで使用するための長梁の例４０２の実施形態４００を示す。具体的には、図４は、構造柱４０４に取り付けられたバルコニー組立体の長梁４０２を示す。長梁４０２は、ロック機構４１６を用いて構造柱４０４の張出し材４１２に取り付けられている。ロック機構４１６は長梁４０２に溶着される（または該長梁の一部として組み立てられる）。ロック機構４１６はｃ字形本体４０８と金属ブロック４１０とを含む。金属ブロック４１０はｃ字形本体４０８に溶着される。
【００１９】
張出し材４１２は構造柱４０４に溶着される（または該構造柱の一部として組み立てられる）。張出し材４１２は管４１８と端板（図４には示されていないが、例えば図５の端板５０４）とを含む。前記端板は管４１８に溶着される（または該管の一部として組み立てられる）。ロック機構４１６のｃ字形本体４０８は、該ｃ字形本体４０８の凹部に前記端板を収容するように形成されている。さらに、前記端板は金属ブロック４１０の凹部（図示せず）の背後において上方へ延在する。このようにして、金属ブロック４１０は摩擦係合によって前記端板に取着される。
【００２０】
長梁４０２は複数の木製スタッド（例えば木製スタッド４０６）を含み、これらの木製スタッドはバルコニー組立体のコンクリートスラブ（図示せず）に埋め込まれる。さらに、長梁４０２は金属端板４３０を含み、この金属端板は構造柱４０４に対して遠方端に配置されている。前記ロック機構が張出し材４１２の前記端板（図４には図示されていないが、例えば図５の端板５０４）に配置された後、締結具がｃ字形本体４０８と前記端板とのパイロット穴４４０に挿入され、これにより、長梁４０２が構造柱４０４に固定的に締結される。
【００２１】
図５は、本明細書で説明されているバルコニーと共に使用するための張出し材の例５００を示す。張出し材５００は管５０２と端板５０４とを含む。管５０２は建物の構造柱５０８に固定的に取り付けられている。管５０２は構造柱５０８に溶着するか、あるいは他の方法で固定することができ、構造柱５０８に対してほぼ垂直方向に延在する。実施形態によっては、管５０２は構造柱５０８の組立時に組み立てられる。端板５０４は管５０２に固定的に取り付けられている。前記端板は管５０２に溶着することも可能である。端板５０６は、バルコニー組立体（図示せず）のロック機構が端板５０４に配置されるときに締結具を収容するためのパイロット穴５０６を含む。
【００２２】
端板５０４は、バルコニー組立体のロック機構のｃ字形本体に挿入されるように形成されている。さらに、端板５０４は梁５０２の縁部を越えて延在する。前記端板の上部延在部５１０が、前記バルコニー組立体のロック機構における金属ブロックの凹部に収容される。
【００２３】
図６は、張出し材の例６０４に取り付けられた例示的なバルコニーの長梁６０２を示す側面断面図６００である。張出し材６０４は、建物の構造柱（図示せず）に取り付けられた管６１８を含む。さらに、前記張出し材は端板６０６を含み、この端板は管６１８に固定的に取り付けられている。長梁６０２にはロック機構６２０が固定的に取り付けられている。ロック機構６２０は金属ブロック６０８とｃ字形本体６１０とを含む。ｃ字形本体６１０は内縁６１６を含み、この内縁は、端板６０６を収容する溝を画定する。ｃ字形本体６１０は図示のために透過的に示されている。金属ブロック６０８は底凹部６２２を含み、この底凹部は端板６０６の上縁６２４を収容する。
【００２４】
バルコニー組立体の設置時、前記ロック機構は張出し材６０４の端板６０６上へ（例えば通例矢印６２６で示された方向へ）降下され、これにより、端板６０６は金属ブロック６０８の凹部６２２内に収容される。ロック機構６２０が端板６０６に配置されたとき（例えば、端板６０６がｃ字形本体６１０の溝内に収容され、端板６０６の上縁６２４が金属ブロック６０８の凹部６２２内に収容されたとき）、前記ロック機構は１つまたは複数の締結具（例えば締結具６１２）を使って張出し材６０４に固定的に締結され、前記締結具は前記ロック機構６２０のｃ字形本体６１０のパイロット穴と張出し材６０４の端板６０６のパイロット穴とに挿入される。すなわち、締結具６１２は軸線６２８に沿って挿入される。締結具６１２はナット６１４で固定される。
【００２５】
図７は、張出し材の例７０４に取り付けられた例示的なバルコニーの長梁７０２を示す図７００である。張出し材７０４は、建物または構造体の構造柱７１４に取り付けられた管７１８を含む。さらに、前記張出し材は端板（図示せず）を含み、この端板は管７１８に固定的に取り付けられている。長梁７０２にはロック機構７２０が固定的に取り付けられている。ロック機構７２０は金属ブロック７０８とｃ字形本体７１０とを含む。ｃ字形本体７１０は内縁７１６を含み、この内縁は端板７０６を収容する溝を画定する。金属ブロック７０８は底凹部（図示せず）を含み、この底凹部は端板７０６の上縁を収容する。バルコニー組立体の設置時、前記ロック機構は張出し材７０４の端板上へ（例えば通例矢印７２６の方向に）降下され、これにより、前記端板は金属ブロック７０８の凹部７２２内に収容される。ロック機構７２０が端板７０６に配置されたとき（例えば、前記端板がｃ字形本体の溝内に収容され、前記端板の上縁７２４が金属ブロック７０８の前記凹部内に収容されたとき）、前記ロック機構は１つまたは複数の締結具（例えば締結具７１２）を用いて張出し材７０４に固定的に締結され、前記締結具は前記ロック機構７２０のｃ字形本体７１０のパイロット穴と張出し材７０４の前記端板のパイロット穴とに挿入される。
【００２６】
図８は、構造柱８０６の張出し材８０４に取り付けられたバルコニー組立体の例８０２を示す斜視図８００である。張出し材８０４の管８２０が構造柱８０６に溶着されるか、または他の方法で恒久的に締結される。構造柱８０６に対する遠方端において張出し材８０４の管８２０に端板８０８が溶着されるか、または他の方法で恒久的に締結される。管８２０は構造柱８０４からほぼ垂直方向に延在する。
【００２７】
バルコニー組立体８０４はプラットフォーム８１４、長梁８１６、ロック機構８２２を含む。ロック機構８２２は長梁８１６の一端に溶着されるか、または他の方法で恒久的に取り付けられる。プラットフォーム８１６は前記長梁の上部に配置されており、コンクリートスラブで形成されていてもよい。この種の実施例では、前記長梁は木製スタッド（図示せず）を含み、これらの木製スタッドは（矢印８２８で示された）方向Ａに前記コンクリートスラブ内へ延在する。このようにして、前記コンクリートスラブは長梁８１６の上部に形成され、これにより、前記コンクリートは前記木製スタッドの周囲に形成される。さらに、前記コンクリートスラブはロック機構８２２の上部に形成されて、バルコニー組立体８０２が形成される。前記ロック機構は、溝８１２を形成するように成形されたｃ字形本体８１０を含む。
【００２８】
バルコニー組立体８０２の設置時、ｃ字形本体８１０の溝８１２は張出し材８０４の端板８０８を収容する。端板８０８の上縁（図示せず）がロック機構８２２の金属ブロック（図示せず）の凹部内に収容され、したがって、バルコニー組立体８０２は摩擦係合によって構造柱８０６に取着される。バルコニー組立体８０２が摩擦係合によって取着された後、前記バルコニー組立体は締結具８１８を使って張出し材８０４に固定され、前記締結具はｃ字形本体８１０と端板８０８とのパイロット穴に挿入されて、例えばナットで固定される。したがって、バルコニー組立体８０２は張出し材８０４、ロック機構８２２、長梁８１６によって支持される。
【００２９】
図９は、本明細書で説明されているバルコニーの例９００を示す部分斜視図である。具体的には、図９は、構造柱９０４に取り付けられたバルコニー組立体の長梁９０２を示す。長梁９０２は、ロック機構９１６を用いて構造柱９０４の張出し材９１２に取り付けられている。ロック機構９１６は長梁９０２に溶着される（または該長梁の一部として組み立てられる）。ロック機構９１６はｃ字形本体９０８と金属ブロック（図示せず）とを含む。前記金属ブロックはｃ字形本体９０８に溶着される。
【００３０】
張出し材９１２は構造柱９０４に溶着される（または該構造柱の一部として組み立てられる）。張出し材９１２は管９１８と端板（図示せず）とを含む。前記端板は管９１８に溶着される（または該管の一部として組み立てられる）。ロック機構９１６のｃ字形本体９０８は、該ｃ字形本体９０８の凹部内に前記端板を収容するように形成されている。さらに、前記端板は前記金属ブロックの凹部（図示せず）の背後において上方へ延在する。このようにして、金属ブロック９１０は摩擦係合によって金属板９１４に取着される。
【００３１】
前記バルコニー組立体はプラットフォーム９０６を含む。プラットフォーム９０６はコンクリートで形成することができ、長梁９０２の上部から突出する木製スタッド（図示せず）を使って嵌め込むことができる。実施例によっては、プラットフォーム９０６は構造柱９０４から傾斜することで、プラットフォーム９０６の排水を行うことができる。さらに、長梁９０２は端板９１６を含み、この端板は構造柱９０４に対して遠方端に配置されている。前記ロック機構が張出し材９１２の端板９１４に配置された後、締結具がｃ字形本体９０８と端板９１４とのパイロット穴９１４に挿入され、これにより、長梁９０２が構造柱９０４に固定的に締結される。
【００３２】
図１０は、本明細書に説明されている例示的なバルコニーを設置するための工程例１０００を示す。組立工程１００２で、少なくとも１つの長梁がロック機構と組み立てられる。この組立工程１００２は、前記長梁を所望の長さに切断すること、前記ロック機構を前記梁の第１の端部に溶着すること、端板を前記梁の第２の端部に溶着すること、木製スタッドを前記梁に溶着することなどを含むことができる。さらに、前記ロック機構はプレハブ式であってもよい。この種のプレハブ工程は、ｃ字形本体を所望の仕様に合わせて切断すること、パイロット穴を切削または打抜きにより設けること、およびプレハブ式の（成形された）金属ブロックを前記ｃ字形本体に溶着することを含むことができる。前記長梁の長さは、コンピュータ生成された仕様に基づき、標準構造部品を用いる生成されたビルディング設計（例えば建築設計）に従うことができる。
【００３３】
設置工程１００４で、前記少なくとも１つの長梁の上部にプラットフォームが設置されて、バルコニー組立体が構築される。この設置工程は、前記少なくとも１つの長梁の上部に金型を成形すること、該金型へ生コンクリートを注入すること、このコンクリートを乾燥させることを含むことができる。このような実施形態では、前記長梁は木製スタッドを含むことができ、これらの木製スタッドはコンクリート内に埋め込まれることで、前記コンクリートを前記長梁に固定することができる。組立工程１００２と設置工程１００４は（任意の中間工程と共に）前記バルコニー組立体の構築を目的とするものである。これらの工程は、建物のバルコニー数に応じて反復することができ、仕様（例えば長さ、幅）は、コンピュータによって生成された設計図に基づくことができる。これらの工程は、諸機械を用いることで自動化することも可能である。
【００３４】
組立工程１００６で、少なくとも１本の構造柱が少なくとも１つの張出し材と組み立てられる。組立工程１００６は、梁／柱を所望の柱長さに切断すること、端板を有する張出し材を前記柱に（例えばバルコニーが位置するように意図されている場所に）溶着することなどを含むことができる。前記柱は、該柱が建物／構造体の複数階にわたって延在する場合、複数のバルコニーのための複数の張出し材を含むことができる。設置工程１００８で、前記組み立てられた少なくとも１本の構造柱が建物内に設置される。設置工程１００８は、前記構造柱を他の構造部材、例えば柱状物、壁パネル、他の構造柱、天井トラス、フロアトラスなどに取り付けることを含むことができる。実施例によっては、前記構造柱が建物内に設置された後に前記張出し材が前記構造柱に設置される（例えば溶着される）。
【００３５】
配置工程１０１０で、前記バルコニー組立体が前記構造柱の前記張出し材上に配置され、これにより、前記張出し材の端板が前記バルコニー組立体の前記長梁における前記ロック機構の溝内に収容される。配置工程１０１０は、前記バルコニー組立体を手動および／またはクレーンで前記張出し材上へ降下することを含むことができる。固定工程１０１２で、前記バルコニー組立体の前記ロック機構と前記張出し材の端板とに挿入される締結具を用いて、前記バルコニー組立体が前記構造柱に固定される。設置工程１０１４で、前記バルコニー組立体と前記構造柱との間に乾式壁（またはその他の資材）が設置される。
【００３６】
図１１は、部分的に図示された構造体１１０６に設置された、本明細書で説明されているバルコニーの例１１０２と１１０４を示す。
【００３７】
図１２は、部分的に図示された構造体１２０６に設置された張出し材の例１２０２と１２０４を示す。
【００３８】
図１３は、部分的に図示された構造体１３０４に設置された、本明細書で説明されているバルコニーの例１３０２を示す。
【００３９】
上記の明細、諸例およびデータは、本発明の実施例の構造および使用に関する詳細な説明である。本発明の精神および範囲を逸脱することなく本発明の多くの実施形態が可能であるので、本発明は以下に添付した諸請求項に属するものとする。さらに、前記様々な実施形態の構造上の特徴は、記載された各請求項から逸脱することなく別の実施形態において組み合わせることもできる。本発明に関して、好ましい実施形態について記述してきたが、当業者は、本発明の範囲を逸脱することなく形状および細部における変更が可能であることを認識するであろう。上述の諸実施形態およびその他の実施形態は以下の諸請求項の範囲内にあるものとする。
【図１】
2020527202.tif 000003
【図２】
2020527202.tif 000004
【図３】
2020527202.tif 000005
【図４】
2020527202.tif 000006
【図５】
2020527202.tif 000007
【図６】
2020527202.tif 000008
【図７】
2020527202.tif 000009
【図８】
2020527202.tif 000010
【図９】
2020527202.tif 000011
【図１０】
2020527202.tif 000012
【図１１】
2020527202.tif 000013
【図１２】
2020527202.tif 000014
【図１３】
2020527202.tif 000015
【国際調査報告】
2020527202.tif 000016